(57)【特許請求の範囲】
【請求項１】
カラーページおよびモノクロページの画像形成を行う画像形成装置において、
カラーページとモノクロページの混在する複数ページの画像が１つの印刷ジョブ中に複数部含まれる印刷データを受ける第１手段と、
カタログモードの指定を受ける第２手段と、
前記受けた印刷データの複数部の画像のうち１部目の画像の印刷に際し、前記カタログモードの指定を受けていれば、カラーページの画像のみを互いにパラメータの異なる複数のパターンに縮小し、この縮小した各パターンをそのパターンごとに対応付けた記入欄と共に１枚の用紙に印刷してなるカタログシートを作成する印刷手段と、
原稿をスキャンするスキャン手段と、
前記スキャン手段により前記カタログシートがスキャンされた場合に、そのスキャンされたカタログシートの各パターンおよび各記入欄のうち、記入がなされている記入欄に対応するパターンのパラメータを前記スキャンされたカタログシートに対応するカラーページの条件設定に関する変更パラメータとして認識する認識手段と、
前記受けた印刷データの複数部の画像のうち１部目の画像を除く残りの部数の画像を印刷するとともに、その印刷に際し、前記スキャンされたカタログシートに対応するカラーページの画像については前記認識手段で認識したパラメータに基づく印刷を行う制御手段と、
を具備したことを特徴とする画像形成装置。
【発明の詳細な説明】
【技術分野】
【０００１】
この発明は、モノクロページおよびカラーページの印刷を行う画像形成装置に関する。
【背景技術】
【０００２】
モノクロページおよびカラーページの印刷を行う画像形成装置として、中間転写体を使用した1ドラム方式のカラー印刷装置がある。
【０００３】
このカラー印刷装置では、複数ページの文書を複数部数印刷する場合に、１部目を試し印刷し、その印刷結果を確認した後に残りの部数を印刷することができる。試し印刷の結果に不具合があった場合には、残りの部数の印刷を中止して、多量の用紙が無駄になるのを防ぐことができる。
【０００４】
試し印刷でユーザーが確認したい項目としては、例えば、「網掛けの濃さ・網掛け中の文字がつぶれていないか」「罫線などの線が期待した通りの太さに出力されているか」「ページ中のレイアウト／配置などが実際に期待通りであるか」などがある。
【０００５】
また、カラーページに至っては、「写真、文字の色再現や発色の具合」「背景色で文字が見づらいか」など、ディスブレイ装置では確認が難しい、紙に印刷してみて初めて分かるような項目に対して有効である。
【０００６】
近年、中間転写体を使用した１ドラム方式のカラー印刷装置が普及し、カラー／モノクロ混在の印刷環境が整つてきた。中間転写体を使用した１ドラム方式のカラー印刷装置では、その機構からモノクロページとカラーページの印刷完了タイミングが異なる。
【０００７】
カラー印刷の場合にはＣＭＹＫ（シアン、マゼンタ、イエロー、ブラック）４色それぞれのトナーを１回転づつ載せるので、印刷完了までにドラムは４回転することになる。モノクロ印刷の場合にはＫ（ブラック）１色のみで、印刷完了までにドラムは１回転で済む。単純にカラー印刷はモノクロ印刷の４倍の時間がかかることになる。
【０００８】
転写の効率を考え、ドラムは通常Ａ４が２ページ分（Ａ３で１ページ分）巻き付けられるような径になっている。
【０００９】
アブリケーシヨンの近年の状況では、Microsoft Word（マイクロソフト社の登録商標）、Excel（マイクロソフト社の登録商標）、Power point（マイクロソフト社の登録商標）等、統合的なビジネスアプリケーションの普及と、インターネットの普及によりブラウザやＰＤＦファイルなどのカラーを扱う機会が増え、従来のモノクロ文書と混在して取り扱う環境となりつつある。DocuＷorks（Xerox社の登録商標）というソフトウェアでは、Microsoft Word、Excel、Power pointなど異なるアプリケーシヨンで作成した文書を１つのフアイル（文書）としてまとめる機能を持っており、カラーページとモノクロページが混在する機会が増加している。例えば、ビジネス企画書などで説明の文書はモノクロページ、統計／グラフなどはカラーページで、これらを１つの文書として扱う場合などである。
【００１０】
従来、ビジネス文書を作成するフローとしては、プリンタで１部のみを出力し、出力結果に不具合がないかを確認した上で、その出力結果を複写機に持っていき必要部数コピーしていた。これに対して、ＭＯＰＹと呼ばれる方式ではプリンタで直接必要部数の出力を行い、所望する部数の出力結果を得られる。この場合、不具合がないかの確認手段として試し印刷の機能が存在する。
【００１１】
カラーページが混在する場合の印刷では、カラーページはモノクロの４倍の時間がかかることから、試し印刷の機能が益々重要となっている。この場合最終的に出力結果を得られるまでの時間短縮が大きな課題となる。
【００１２】
従来、カラー印刷においては「カタログ印刷」という機能がある。この機能はカラー画像においてユーザーが希望する出力結果を得られることを目的として、複数のパラメータ（色み、色調、彩度、明度、コントラスト）に対応する複数のサンプル画像をＮin１（９in1）モードで印刷することで、色再現の具合などを視覚的に理解できるような機能である。複数バラメータの最終決定はユーザーがカタログ印刷結果を確認してからパソコンのプリンタドライバにて選択する。
【発明の概要】
【発明が解決しようとする課題】
【００１３】
従来技術においては、以下の問題点があった。  
通常のプリント動作では、印刷ジョブのページ順に印刷を行っていくので、カラーページとモノクロページが混在している場合には、カラーページのみ、モノクロページのみの印刷と比較すると印刷が完了するまでのスループットが低下する。
【００１４】
具体的には、カラー／モノクロ混在原稿（原稿Ａ４サイズ、中間転写体Ａ３サイズ）を印刷する場合、Ａ３サイズの中間転写体はＡ４サイズ２ページ分の画像を保持することができる。１ページのカラーページに続いてモノクロページを連続して印刷すると、カラーページの印刷が完了するにはドラム４回転必要であるが、カラーページの印刷が完了する前に、後発のモノクロページ３ページ分印刷することができる。従来ページ順序反転を避けるためにカラーページの印刷を待ってから、続くモノクロページの印刷を行っていた。
【００１５】
また、ユーザーは文書中のページにおいて重点的に印刷結果を確認したいページが存在するが、従来の試し印刷ではページ順に印刷を行っていくので文書の最後の方にあるページの確認を重点的に行いたい場合には、そのページが印刷されるまで待たなければならなかった。例えば、モノクロページの印刷確認は行わないでカラーページの色再現具合を先に確認したいユーザーは、所定のページの印刷が完了するまで待たされた。
【００１６】
さらに、カラーページの試し印刷においてユーザーが特に着目することは色再現の具合である。従来のカタログ印刷ではカラー／モノクロ混在原稿の場合、モノクロページに対してもＮｉｎ１モード印刷を行っていた。つまりカタログ印刷機能はジョブ単位でしか指定できず、カラー／モノクロ混在文書ジョブの場合にはカラーページだけでなくモノクロページもＮｉｎ１モード印刷されていた。
【００１７】
また、最終的にカタログ印刷結果を確認して各バラメータを決定する手段はプリンタドライバ上のみであるので、ユーザーは一度パソコンのある場所まで戻りパラメータ指示を行う必要があった。
【００１８】
この発明は上記の事情を考慮したもので、その目的とするところは、カラーページとモノクロページが混在した試し印刷を行う場合、システム全体のスループット（試し印刷〜確認〜残り部数印刷）を向上させ、利用者による使い勝手が大幅に向上する画像形成装置を提供することにある。
【００１９】
また、この発明の目的は、カラーページの条件を容易に変更することができ、カラーページの試し印刷の効率化が図れる画像形成装置を提供することにある。
【課題を解決するための手段】
【００２０】
請求項１に係る発明の画像形成装置は、カラーページおよびモノクロページの画像形成を行うものであって、カラーページとモノクロページの混在する複数ページの画像が１つの印刷ジョブ中に複数部含まれる印刷データを受ける第１手段と、カタログモードの指定を受ける第２手段と、前記受けた印刷データの複数部の画像のうち１部目の画像の印刷に際し、前記カタログモードの指定を受けていれば、カラーページの画像のみを互いにパラメータの異なる複数のパターンに縮小し、この縮小した各パターンをそのパターンごとに対応付けた記入欄と共に１枚の用紙に印刷してなるカタログシートを作成する印刷手段と、原稿をスキャンするスキャン手段と、このスキャン手段により前記カタログシートがスキャンされた場合に、そのスキャンされたカタログシートの各パターンおよび各記入欄のうち、記入がなされている記入欄に対応するパターンのパラメータを前記スキャンされたカタログシートに対応するカラーページの条件設定に関する変更パラメータとして認識する認識手段と、前記受けた印刷データの複数部の画像のうち１部目の画像を除く残りの部数の画像を印刷するとともに、その印刷に際し、前記スキャンされたカタログシートに対応するカラーページの画像については前記認識手段で認識したパラメータに基づく印刷を行う制御手段と、を備える。
【発明の効果】
【００２９】
この発明の画像形成装置およびその制御方法によれば、カラーページの条件を容易に変更することができ、カラーページの試し印刷の効率化が図れる。
【図面の簡単な説明】
【００３０】
【図１】一実施形態の全体的な構成を示す図。
【図２】同実施形態における要部のブロック図。
【図３】同実施形態におけるカラーディジタル複写機の要部の構成を示す図。
【図４】同実施形態におけるカラーディジタル複写機の操作部の構成を示す図。
【図５】同実施形態の作用を説明するためのフローチャート。
【図６】同実施形態におけるコントールパネルで表示される画面を示す図。
【図７】図６に続いて表示される画面を示す図。
【図８】図７に続いて表示される画面を示す図。
【図９】同実施形態における試し印刷中に表示される画面を示す図。
【図１０】同実施形態における試し印刷の終了時に表示される画面を示す図。
【図１１】図１０に続いて表示される画面を示す図。
【図１２】図１０に続いて表示される画面を示す図。
【図１３】図１２に続いて表示される画面を示す図。
【図１４】同実施形態における優先モードなしでの試し印刷の出力例を示す図。
【図１５】同実施形態におけるカラーページ優先モードでの試し印刷の出力例を示す図。
【図１６】同実施形態におけるモノクロページ優先モードでの試し印刷の出力例を示す図。
【図１７】同実施形態におけるフェースダウン排紙時のプリントシーケンスを示す図。
【図１８】同実施形態におけるフェースアップ排紙時のプリントシーケンスを示す図。
【図１９】同実施形態におけるカタログ印刷の出力例を示す図。
【図２０】同実施形態におけるカタログ印刷を含む作用を説明するためのフローチャート。
【図２１】同実施形態におけるカタログ印刷後に表示される画面を示す図。
【図２２】図２１に続いて表示される画面を示す図。
【図２３】図２２に続いて表示される画面を示す図。
【図２４】図２２に続いて表示される画面を示す図。
【図２５】図２４に続いて表示される画面を示す図。
【発明を実施するための形態】
【００３１】
以下、この発明の一実施形態について図面を参照して説明する。
【００３２】
図１にように、カラーページおよびモノクロページの画像形成が可能な画像形成装置たとえばカラーディジタル複写機１がインタフェース２を介してプリンタコントローラ３に接続される。そして、プリンタコントローラ３がＬＡＮ（ローカル・エリア・ネットワーク）４に接続される。ＬＡＮ４にはクライアントＰＣ（パーソナルコンピュータ）５が接続される。
【００３３】
プリンタコントローラ３は、カラーディジタル複写機１のスキャン機能およびプリント機能等を制御する。クライアントＰＣ５は、アプリケーシヨンを起動して印刷指示（画像形成指示）を出す。
【００３４】
カラーディジタル複写機１は、紙原稿をスキャンしてイメージデータとしてディジタル化するスキャナと、イメージデータを用紙に印刷するプリンタと、図４に示す操作部と、全体を制御するＣＰＵ（中央演算処理装置）と、制御プログフムおよび管理データを記憶するメモリおよびＨＤＤ（ハードディスク装置）と、プリンタコントローラ３との送受信を行う通信部とから構成される。また、カラーディジタル複写機１は、紙原稿からのスキャンデータを用紙にカラー複写およびモノクロ複写する複写機能を持つ。この複写機能は従来の複写機と同じ機能なので、説明を省略する。
【００３５】
さらに、カラーディジタル複写機１は、プリンタコントローラ３に制御されて、クライアントＰＣ５上で動作する文書作成ソフトからのページ記述言語（ＰＤＬ）で記述された印刷コマンドを受信し、ＰＤＬからイメージデータを作成して、紙へ印刷を打つ通常印刷機能を持つ。この機能は一般のネットワークプリンタと同様である。
【００３６】
とくに、カラーディジタル複写機１は、プリンタコントローラ３に制御されて、主要な機能として次に［１］〜［17］を備える。
【００３７】
［１］カラーページとモノクロページが混在した画像形成（試し印刷）に際し、カラーページの優先出力またはモノクロページの優先出力を後述の操作部の操作に応じて指定するための指定手段。
【００３８】
［２］カラーページの優先出力が指定された場合に、カラーページを先に出力し、その後、モノクロページを出力する制御手段。
【００３９】
［３］モノクロページの優先出力が指定された場合に、モノクロページを先に出力し、その後、カラーページを出力する制御手段。
【００４０】
［４］カラーページの優先出力のみが指定された場合に、優先対象のカラーページのみを出力（モノクロページは非出力）する制御手段。
【００４１】
［５］モノクロページの優先出力のみが指定された場合に、優先対象のモノクロページのみを出力（カラーページは非出力）する制御手段。
【００４２】
［６］Ｎｉｎ１モードの画像形成を後述の操作部の操作に応じて指定するための指定手段。
【００４３】
［７］カラーページの優先出力が指定され、かつＮｉｎ１モードが指定された場合に、カラーページをＮｉｎ１モードで先に出力し、その後、モノクロページをＮｉｎ１モードで出力する制御手段。
【００４４】
［８］モノクロページの優先出力が指定され、かつＮｉｎ１モードが指定された場合に、モノクロページをＮｉｎ１モードで先に出力し、その後、カラーページをＮｉｎ１モードで出力する制御手段。
【００４５】
［９］カラーページの優先出力が指定され、かつ画像形成のサイズが通常の場合に、カラーページを先に出力し、その後、モノクロページをＮｉｎ１モードで出力する制御手段。
【００４６】
［10］モノクロページの優先出力が指定され、かつ画像形成のサイズが通常の場合に、モノクロページを先に出力し、その後、カラーページをＮｉｎ１モードで出力する制御手段。
【００４７】
［11］複数ページの画像を複数部数形成する際に、１部目の画像形成を試しとして先ず実行し、残り部数についての画像形成はユーザの指定に応じて選択的に実行する制御手段。
【００４８】
［12］ページ番号を付与しない画像形成のとき、上記１部目の画像形成に限定してページ番号を付与する制御手段。
【００４９】
［13］複数ページの画像を複数部数形成する際に、１部目の画像形成において付与されたページ番号を入力パラメータとして残り部数の画像形成における特定ページの条件設定を行う制御手段。
【００５０】
［14］カタログモードの画像形成を指定するための指定手段。
【００５１】
［15］上記１部目の画像形成に際し、カタログモードが指定されていれば、カラーページの画像について互いにパラメータが異なる複数のパターンが収まった形のカタログページをカラーページ毎に形成する制御手段。
【００５２】
［16］形成された各カタログページのいずれかおよび同カタログページ内の各パターンのいずれかを選択するための選択手段。
【００５３】
［17］残り部数の画像形成に際し、上記選択手段で選択されたカタログページに対応するカラーページについて、同選択手段で選択されたパターンに合わせた画像形成を実行する制御手段。
【００５４】
図２はプリンタ動作時のモジュール構成とデータの流れを示している。  
グラフィックデバイスインタフェース（Ｇｒａｐｈｉｃｓ  Ｄｅｖｉｃｅ  Ｉｎｔｅｒｆａｃｅ：ＧＤＩ）は、例えば文書作成用ソフトウエア等のアプリケーシヨンプログラムと印刷装置との間でデータ通信を行うためのアブリケーシヨンプログラムインタフェース（Ａｐｐｌｉｃａｔｉｏｎ  Ｐｒｏｇｒａｍ  Ｉｎｔｅｒｆａｃｅ：ＡＰＩ）であり、グラフィック要素を管理するものである。プリンタドライバは、印刷装置に出力するための印刷データを生成するもので、上記ＧＤＩと接続され、ＧＤＩからの描画命令によって、イメージデータを印刷装置が解釈可能な印刷データに変換する。例えば、文書作成用アプリケーシヨンにより作成した文書に対して印刷を指示すると、文書データがプリンタドライバによりＰＤＬに変換される。プリンタドライバではアプリケーシヨンより渡されるデータからページがカラーであるかモノクロであるかを認識できる。
【００５５】
次に、ＰＤＬに変換されたデータは１つの印刷ジョブとしてストリームになり、ＬＡＮ４を通じてプリンタコントローラのスプーラに転送される。プリンタコントローラでは、プリンタモジュールと呼ばれる部分があり、ＲＩＰ（Raster Image Processor）処理を行う。ＲＩＰ処理とはＰＤＬからビットマップにイメージ展開する処理のことである。イメージ展開はページバッファと呼ばれる部分にページ単位で展開される。展開された時点ではカラーページであるかモノクロページであるかの判別が可能である。次に、ページバッファに展開されたページ単位のイメージデータは、カラーディジタル複写機１に内臓されているＨＤＤに転送される。その後、エンジンにデータが転送されて印刷が実行される。
【００５６】
図３にカラーディジタル複写機１のプリンタ部のシステム構成を示す。まず、露光手段から発せられるレーザ光が像担持体である感光体ドラム１１上に照射されることにより感光体ドラム１１上に静電潜像が形成され、その静電潜像が現像装置１２からＹ（イエロー）、Ｍ（マゼンタ）、Ｃ（シアン）、Ｋ（ブラック）の順番で供給されるトナーにより現像されて可視像となる。この可視像は、Ａ４サイズ２枚分（Ａ３サイズ１枚分）の表面積を持つ中間転写体１３に移される。Ａ４サイズ２枚分の内、一方をＡ面、もう一方をＢ面と呼ぶ。モノクロイメージの現像の場合にはＫ１色のトナーのみが中間転写体に移される。カラーイメージの現像の場合にはＹＭＣＫの４色のトナーが順番に中間転写体の上で重ね合わされる。
【００５７】
給紙トレイ１４もしくは用紙スタッカ１５から給紙されたコピー用紙は、転写部１６において、モノクロイメージの場合は１回転してコピー用紙に転写され、カラーイメージの場合には４回転してＹＭＣＫ４色のトナーが中間転写体１３に載った上でコピー用紙に転写される。
【００５８】
次に、定着部１７によりトナーがコピー用紙に溶融定着され、排紙ローラ１８により排紙トレイ１９に排紙される。カラーページおよびモノクロページ混在時の場合には、文書内のページ順序を守るためにＡＤＵが使用されることがあり、定着部によりイメージが定着されたコピー用紙がＡＤＵのスタツカ２０に一時ストツクされる。その後、排紙のページ順が来たら排紙ローラ１８により排紙トレイ１９に排紙される。
【００５９】
図４にカラーディジタル複写機１の操作部を示す。操作部はハードキーと呼ばれる部分（余熱キー、割り込みキー、ＨＥＬＰキー、コピーキー、フアックスキー、プリンタキー、オールクリアキー、テンキー、クリア／ストッブキー］３１、スタートキー３１）、およびコントロールパネル（タッチパネル式の液晶表示部）３２により構成される。
【００６０】
試し印刷の流れを図５に示す。  
まず、クライアントＰＣ５上で文書作成アプリケーションから印刷指示を行うと、図６に示すプリンタドライバ画面がコントロールパネル３２に現われる。ここで印刷部数の指定を行い（ステップＳ１００）、次に図６中プロパティボタンをクリックすると図７に示すブリンタドライバ画面がコントロールパネル３２に現われる。ここで、「試し印刷」のプロパティを設定する。試し印刷を行う場合には「試し印刷」のチェックボックスをクリックして試し印刷を行うことを指定する（ステップＳ１０１）。続いて、カラーページを優先した試し印刷を行うか、モノクロページを優先した試し印刷を行うか、通常のページ順で試し印刷を行うかの指定を行う。指定する項目のチェックボックスをチェックする（ステップＳ１０２）。以上の指定が終わると、「ＯＫ」ボタンをクリックし印刷データ送信開始を指示する（ステップＳ１０３）。
【００６１】
なお、ブリンタドライバ画面には、試し印刷を全てのページについて行うか、優先ページのみ行うか、優先ページ以外をＮｉｎ１モードで行うかをそれぞれ指定するためのチェックボックスも用意されている。Ｎｉｎ１モードとは、１枚の用紙上に複数ページ（Ｎページ）の画像を印刷するもので、２ｉｎ１モード、４ｉｎ１モード、８ｉｎ１モードなどがある。また、このブリンタドライバ画面において、見出しの仕上げ部分をクリックすると図８に示すブリンタドライバ画面がコントロールパネル３２に現われる。この画面には、両面印刷を行うか、Ｎｉｎ１モードの印刷を行うかをそれぞれ指定するためのチェックボックスが用意されている。
【００６２】
印刷データ送信開始が指示されると、プリンタコントローラはプリンタドライバによりＰＤＬ化された印刷ジョブをスプーラに受信する（ステップＳ１０４）。スプーラに印刷ジョブが蓄積されると、プリンタモジュールによってページバッファヘのイメージ展開を行う（ステップＳ１０５）。ここで、プリンタドライバにより試し印刷モードが指定されている場合には（ステップＳ１０６のＹＥＳ）、カラーページ優先モードが指定されているかの判断を行い、カラーページ優先モードが指定されていれば（ステップＳ１０７のＹＥＳ）、カラーページのみを先にカラーディジタル複写機１に送信するページ順序の入れ替え処理を行う（ステップＳ１１７）。また、カラーページ優先モードが指定されていない場合には（ステップＳ１０７のＮＯ）、モノクロページ優先モードが指定されているかを判断し（ステップＳ１０８）、モノクロページ優先モードが指定されている場合には（ステップＳ１０８のＹＥＳ）、モノクロページのみを先にカラーディジタル複写機１に送信する（ステップＳ１１８）。以後、全てのページデータをページバッファからカラーディジタル複写機１のＨＤＤに転送完了した後、カラーディジタル複写機１で試し印刷が開始される（ステップＳ１０９）。
【００６３】
試し印刷とは、複数ページの画像を複数部数印刷する際に、１部目の印刷を試しとして先ず実行し、残り部数についての印刷はユーザの指定に応じて選択的に実行する処理のことである。
【００６４】
試し印刷が実行されている間は、図９に示す画面がコントロールパネル３２に表示される。ユーザはこの表示を見ることで、試し印刷が実行中であることを把握する。
【００６５】
試し印刷が終了すると、図１０に示す画面がコントロールパネル３２に表示され、ユーザに残り部数の印刷を行うかどうかの確認がなされ、コントロールパネル３２からのコマンドを受付ける処理が実行される（ステップＳ１１０）。ここで、画面中の「削除する」アイコンが押下されて（スタートキー３１は押下されず）、残り部数の印刷が指示されない場合には（ステップＳ１１１のＮＯ）、図１１に示す画面がコントロールパネル３２に表示され、残り部数印刷のために保持している印刷ジョブを削除するかどうかの再確認がユーザに対して問われる。「削除する」アイコンが選択された場合には、印刷データを開放して処理を終了する。
【００６６】
コントロールパネル３２で図１０の画面が表示されているときに、スタートキー３１が押下されて残り部数の印刷が指示されると（ステップＳ１１１のＹＥＳ）、印刷データをディジタルＰＰＣ内部のＨＤＤから取得し（ステップＳ１１２）、残り部数の印刷を行う（ステップＳ１１３）。指定部数の印刷が完了すると（ステップＳ１１４のＹＥＳ）、カラーディジタル複写機１のＨＤＤに蓄積されている印刷データを開放し（ステップＳ１１５）、処埋を終了する。
【００６７】
指定部数の印刷が完了しない場合には（ステップＳ１１４のＮＯ）、指定部数の印刷が完了するまで印刷処理を繰り返す。
【００６８】
また、プリンタドライバにより試し印刷モードが指定されていない場合には（ステップＳ１０６のＮＯ）、試し印刷を行わずに通常印刷を行い（ステップＳ１１６）、処理を終了する。
【００６９】
なお、図１０の画面には、残り部数の印刷における特定ページの条件設定を行う手段として、「カラーページ設定マニュアル変更ボタン」アイコンが用意されており、このアイコンが押下されると、図１２に示す画面がコントロールパネル３２で表示される。この表示は、条件設定の対象となるカラーページのページ数を指定するためのもので、数値が入力されて「確定」アイコンが押下されると、図１３に示す画面がコントロールパネル３２で表示される。この表示は、カラーページの条件設定に関する各種パラメータを具体的な数値で指定するためのもので、数値が入力されて「確定」アイコンが押下されると、指定完了となる。図１２および図１３の画面において「取り消し」アイコンが押下されると、図１０の画面に戻る。
【００７０】
カラーページとモノクロページが混在した印刷を優先出力の指定なしに実行した場合の出力例を図１４に示す。
【００７１】
カラーページとモノクロページが混在した印刷に際し、カラーページ優先出力を指定した場合の出力例を図１５に示す。
【００７２】
カラーページとモノクロページが混在した印刷に際し、モノクロページ優先出力を指定した場合の出力例を図１６に示す。
【００７３】
図１７にフェースダウン排紙時のプリントシーケンス、図１８にフェースアップ排紙時のプリントシーケンスを示している。従来方式での動作と本実施形態での動作とを比較して、本実施形態の場合に時間縮が図れることを示している。
【００７４】
フェースダウン排紙時の動作とフェースアップ排紙時の動作では、カラーディジタル複写機１のＨＤＤに蓄積されるページ順序が異なる。図中、「ＨＤＤ」はカラーディジタル複写機１のＨＤＤ、「ＰＭ−Ａ面」「ＰＭ−Ｂ面」は中間転写体１３のＡ面、Ｂ面それぞれに対応したページメモリを示す。サイズはそれぞれＡ４サイズ１枚分を仮定している。「現像」「中間転写体」「転写―定着」「ＡＤＵ」「排紙」はそのユニットを経過していることを示しているが、時間幅を論埋的に示すため、各々のユニットにかかる時間は全て一定と仮定している。
【００７５】
使用されている記号のうち、数字は原稿のページ番号を示し、「カ」はカラーページ、「モ」はモノクロページを示している。この例では１ページ目と３ぺージ目がモノクロページ、２ページ目と４ページ目がカラーページとなるカラー／モノクロ混在原稿を印刷する場合を仮定している。
【００７６】
すなわち、従来例では１３ステップの時間が消費されるが、本実施形態では１２ステップとＡＤＵに入る時間分が短縮されていることがわかる。また、印刷した結果をユーザーが確認する時間を考慮すると、カラーページを先に確認したい場合、およびモノクロページを先に確認したい場合のそれぞれにおいて、本実施形態ではさらに時間短縮が期待できることがわかる。
【００７７】
モノクロページにおいては、従来例より９ステップも早くユーザが印刷結果を確認できる。
【００７８】
一般に、試し印刷を行ってその印刷結果を確認する場合、確認の対象としてページ順序に依存しない項目が多くある。この点に着目し、あえてページ順序を入れ換えることにより、感光体ドラム１１を効率的に使用することができ、残り部数の印刷が完了するまでのシステムトータルのスループットを改善することができる。
【００７９】
試し印刷でカラーページのみを先に印刷可能であれば、ユーザーは早くにカラーページの印刷具合を確認でき、またカラーページの印刷具合を確認中にモノクロページの印刷が完了するので残り部数の印刷を行うかどうか判断するまでの時間を短縮できる。逆に、カラーページの色再現よりもモノクロページの網掛けの濃さが気になるユーザーは、試し印刷でモノクロページのみを先に印刷可能であれば、先にモノクロページの印刷結果の確認ができ、モノクロページ印刷結果確認中にカラーページの印刷が完了する。そしてすぐに残り部数の印刷を指示できる。
【００８０】
なお、試し印刷では、カラーページの優先出力のみを指定することで、優先対象のカラーページのみを印刷（モノクロページは非印刷）することが可能である。モノクロページの優先出力のみを指定すれば、優先対象のモノクロページのみを印刷（カラーページは非印刷）することができる。
【００８１】
カラーページの優先出力が指定され、かつＮｉｎ１モードが指定された場合には、カラーページをＮｉｎ１モードで先に印刷し、その後、モノクロページをＮｉｎ１モードで印刷することができる。モノクロページの優先出力が指定され、かつＮｉｎ１モードが指定された場合には、モノクロページをＮｉｎ１モードで先に印刷し、その後、カラーページをＮｉｎ１モードで印刷することができる。
【００８２】
カラーページの優先出力が指定され、かつ画像形成のサイズが通常の場合には、カラーページを先に印刷し、その後、モノクロページをＮｉｎ１モードで印刷することができる。モノクロページの優先出力が指定され、かつ画像形成のサイズが通常の場合には、モノクロページを先に印刷し、その後、カラーページをＮｉｎ１モードで印刷することができる。
【００８３】
一方、図７のコントロールパネル画面で「カタログ印刷」アイコンが押下されると、カタログモードの指定となり、図１９に示すようなカタログ印刷を行うことができる。これは、カラーページについて互いにパラメータが異なる複数のパターンが収まった形のカタログページをカラーページ毎に印刷するものである。
【００８４】
すなわち、「色み」のパラメータが数％ずつ異なる９個のパターンを配列してなる色み優先のカタログと、「明度」のパラメータが少しずつ異なる９個のパターンを配列してなる明度優先のカタログとが、１枚の用紙に上下の関係に収められている。各パターンの下方には、それぞれパターン選択用のチェックボックス
が付されている。また、用紙の最下部には、対応するカラーページのページ数が付されている。
【００８５】
色み優先のカタログでは、中心位置にあるパターンについて、「色み」のパラメータをイエロ−５０％、マゼンタ５０％、シアン５０％、ブラック５０％とし、その周囲に各パラメータが１０％あるいは９０％となるパターンを配している。明度優先のカタログでは、中心位置にあるパターンについて、「明度」のパラメータを明度５０％、コントラスト５０％とし、その周囲に各パラメータが１０％あるいは９０％となるパターンを配している。なお、図面上では全てのパターンが同じになっているが、これは、各パターンのパラメータのずれを図面として表現することが難しいためであり、実際はパラメータが少しずつずれている。
【００８６】
このカタログ印刷を含めた試し印刷の流れを図２０のフローチャートに示している。
【００８７】
まず、クライアントＰＣ５上で文書作成アプリケーションから印刷指示を行うと、図６に示すプリンタドライバ画面がコントロールパネル３２に現われる。ここで印刷部数の指定を行い（ステップＳ２００）、次に図６中プロパティボタンをクリックすると図７に示すブリンタドライバ画面がコントロールパネル３２に現われる。ここで、「試し印刷」のプロパティを設定する。試し印刷を行う場合には「試し印刷」のチェックボックスをクリックして試し印刷を行うことを指定する（ステップＳ２０１）。続いて、カラーページを優先した試し印刷を行うか、モノクロページを優先した試し印刷を行うか、通常のページ順で試し印刷を行うかの指定を行う。指定する項目のチェックボックスをチェックする（ステップＳ２０２）。そして、カタログ印刷を指示するために「カタログ印刷」のチェックボックスをクリックする（Ｓ２０３）。以上の指定が終わると、「ＯＫ」ボタンをクリックし印刷データ送信開始を指示する（ステップＳ２０４）。
【００８８】
印刷データ送信開始が指示されると、プリンタコントローラはプリンタドライバによりＰＤＬ化された印刷ジョブをスプーラに受信する（ステップＳ２０５）。スプーラに印刷ジョブが蓄積されると、プリンタモジュールによってページバッファヘのイメージ展開を行う（ステップＳ２０６）。ここで、プリンタドライバにより試し印刷モードが指定されている場合には（ステップＳ２０７のＹＥＳ）、カラーページ優先モードが指定されているかの判断を行い、カラーページ優先モードが指定されていれば（ステップＳ２０８のＹＥＳ）、カラーページのみを先にカラーディジタル複写機１に送信するページ順序の入れ替え処理を行う（ステップＳ２２０）。また、カラーページ優先モードが指定されていない場合には（ステップＳ２０８のＮＯ）、モノクロページ優先モードが指定されているかを判断し（ステップＳ２０９）、モノクロページ優先モードが指定されている場合には（ステップＳ２０９のＹＥＳ）、モノクロページのみを先にカラーディジタル複写機１に送信する（ステップＳ２２１）。
【００８９】
続いて、カタログモードが指定されているかどうかの判定を行い（ステップＳ２１０）、指定されていれば（ステップＳ２１０のＹＥＳ）、カラーページについてカタログ印刷の処理が実行される（ステップＳ２２２）。
【００９０】
以後、全てのページデータをページバッファからカラーディジタル複写機１のＨＤＤに転送完了した後、カラーディジタル複写機１で試し印刷が開始される（Ｓ２１１）。試し印刷が実行されている間は、図２１に示す画面がコントロールパネル３２に表示される。ユーザはこの表示を見ることで、試し印刷が実行中で、しかもカタログ印刷ありの旨を把握する。
【００９１】
試し印刷が終了すると、図２２に示す画面がコントロールパネル３２に表示され、ユーザにカタログ印刷スキャンを開始するかどうかの確認がなされ、コントロールパネル３２からのコマンドを受付ける処理が実行される（ステップＳ２１２）。ここで、ユーザがカラーページの各パラメータを変更したい場合には、カタログ印刷された用紙において好みのパターンを選んでその近傍のチェックボックスにペン等で印を記入し、その用紙をカラーディジタル複写機１の原稿台にセットしてスキャンする。このスキャンにより、各パラメータの変更内容およびページ番号が認識される（ステップＳ２２３）。変更内容は、ページ単位で保持される。スキャン中は、コントロールパネル３２で図２３に示す画面が表示される。
【００９２】
図２２の画面において、「スキャンしない」アイコンが押下されて、スキャンが指示されない場合には（ステップＳ２１３のＮＯ）、図２４に示す画面がコントロールパネル３２に表示され、残り部数印刷のために保持している印刷ジョブを削除するかどうかの再確認がユーザに対して問われる。
【００９３】
コントロールパネル３２で図２４の画面が表示されているときに、スタートキー３１が押下されて残り部数の印刷が指示されると（ステップＳ２１４のＹＥＳ）、印刷データをディジタルＰＰＣ内部のＨＤＤから取得し（ステップＳ２１５）、残り部数の印刷を行う（ステップＳ２１６）。指定部数の印刷が完了すると（ステップＳ２１７のＹＥＳ）、カラーディジタル複写機１のＨＤＤに蓄積されている印刷データを開放し（ステップＳ２１８）、処埋を終了する。
【００９４】
指定部数の印刷が完了しない場合には（ステップＳ２１７のＮＯ）、指定部数の印刷が完了するまで印刷処理を繰り返す。
【００９５】
また、プリンタドライバにより試し印刷モードが指定されていない場合には（ステップＳ２０７のＮＯ）、試し印刷を行わずに通常印刷を行い（ステップＳ２１９）、処理を終了する。
【００９６】
なお、図２４の画面には、残り部数の印刷における特定ページの条件設定を行う手段として、「カラーページ設定確認」アイコンが用意されており、このアイコンが押下されると、図２５に示す画面がコントロールパネル３２で表示される。この表示は、条件設定の対象となるカラーページのページ数および変更パラメータを指定するためのもので、数値が入力されて「確定」アイコンが押下されると、指定完了となる。
【００９７】
このように、カラーページのみをカタログ印刷することで、モノクロページまでカタログ印刷処理を行っていた時間を短縮し、モノクロページは最終的な印刷結果と等倍で印刷する。また、前述のカラーページのみを先に試し印刷することと合わせると、カラーページの色再現の具合を確認したいユーザにとっては大幅な時間短縮が期待できる。また、カタログ印刷結果（Ｎｉｎ１モードで印刷されている状態）の用紙上にユーザが好みのパターンを選択できる手段を提供し、その用紙をスキャンさせることにより印刷装置がユーザの選択したパラメータを自動認識して、残りの部数を印刷する際には認識したパラメータをもってカラーページを印刷するので、ユーザが一度クライアントＰＣ５まで戻ることなく所望の印刷結果が得られ、時間短縮になることが期待できる。
【符号の説明】
【００９８】
１…カラーディジタル複写機
３…プリンタコントローラ
４…ＬＡＮ
５…クライアントＰＣ
１１…感光体ドラム（像担持体）
１２…現像装置
１３…中間転写体
３１…スタートキー
３２…コントールパネル（タッチパネル式の液晶表示部）
【図１】
0004779033.tif 000002
【図２】
0004779033.tif 000003
【図３】
0004779033.tif 000004
【図４】
0004779033.tif 000005
【図５】
0004779033.tif 000006
【図６】
0004779033.tif 000007
【図７】
0004779033.tif 000008
【図８】
0004779033.tif 000009
【図９】
0004779033.tif 000010
【図１０】
0004779033.tif 000011
【図１１】
0004779033.tif 000012
【図１２】
0004779033.tif 000013
【図１３】
0004779033.tif 000014
【図１４】
0004779033.tif 000015
【図１５】
0004779033.tif 000016
【図１６】
0004779033.tif 000017
【図１７】
0004779033.tif 000018
【図１８】
0004779033.tif 000019
【図１９】
0004779033.tif 000020
【図２０】
0004779033.tif 000021
【図２１】
0004779033.tif 000022
【図２２】
0004779033.tif 000023
【図２３】
0004779033.tif 000024
【図２４】
0004779033.tif 000025
【図２５】
0004779033.tif 000026